(57)【要約】【課題】コンクリート型枠を支持させるセパレーターを前記土留め壁を構成する柱用形鋼や鋼矢板に取り付ける手段として活用できるセパレーター取付金具を提供する。【解決手段】本体１は帯状鉄板２をＵ字形に折り曲げて構成され、この帯状鉄板２の折り返し部２ａにセパレーター連結部３が設けられ、当該帯状鉄板２の互いに隣接する両端部それぞれの両側辺には、係止片９ａ〜９ｄと当該係止片９ａ〜９ｄが係合する被係止孔８ａ〜８ｄとの組合せから成る係止手段１０が設けられると共に、この係止手段１０により両側辺どうしが互いに係止された帯状鉄板２の両端部によって円筒状部５が形成され、この円筒状部５の内周面にねじ溝１１を形成して構成された貫通ねじ孔１２などにより前記取付部４が形成された構成。【選択図】図１
2006016775.tif 000002
【特許請求の範囲】
【請求項１】
本体の一端側にセパレーター連結部が設けられると共に、当該本体の他端側に取付部が設けられたセパレーター取付金具であって、前記本体は帯状鉄板をＵ字形に折り曲げて構成され、この帯状鉄板の折り返し部に前記セパレーター連結部が設けられ、当該帯状鉄板の互いに隣接する両端部それぞれの両側辺には、係止片と当該係止片が係合する被係止部との組合せから成る係止手段が設けられると共に、この係止手段により両側辺どうしが互いに係止された前記帯状鉄板の両端部によって筒状部が形成され、この筒状部の内周面にねじ溝を形成して構成された貫通ねじ孔または前記筒状部に内端部が内嵌固定された螺軸により前記取付部が形成されている、セパレーター取付金具。
【請求項２】
前記係止手段は、帯状鉄板両端部の内、一方の端部の両側辺に形成された被係止孔と、他方の端部の両側辺から突設された係止片とから成り、この係止片を前記被係止孔に挿通させ、当該被係止孔から突出する前記係止片の先端部をそれぞれ外側に折曲させることにより、帯状鉄板両端部の両側辺どうしが互いに係止されている、請求項１に記載のセパレーター取付金具。
【発明の詳細な説明】
【技術分野】
【０００１】
本発明は、土留め壁との間にコンクリート壁を構築する際に、コンクリート型枠を支持させるセパレーターを前記土留め壁を構成する柱用形鋼や鋼矢板に取り付ける手段として活用できるセパレーター取付金具に関するものである。
【背景技術】
【０００２】
この種のセパレーター取付金具は、本体の一端側にセパレーター連結部が設けられると共に、当該本体の他端側に取付部が設けられたものであって、当該取付部としては、本体の長さ方向に突出する螺軸などが利用される。而して本出願人は、非特許文献１に記載のように、帯状鉄板をＵ字形に折り曲げて前記本体を構成し、この帯状鉄板の折り返し部に前記セパレーター連結部を設け、当該帯状鉄板の互いに隣接する両端部間で前記螺軸（ボルトなど）の内端部を挟持固定して成るセパレーター取付金具を提案している。
【非特許文献１】特願２００２-３７１６５０
【発明の開示】
【発明が解決しようとする課題】
【０００３】
本出願人が先に提案した非特許文献１に記載のセパレーター取付金具の構成では、帯状鉄板の互いに隣接する両端部は、その間で螺軸の内端部を挟持させた状態で、両側辺どうしをリベットにより互いに固着しており、少なくとも２本のリベットが必要であって、部品点数が多くなり、コスト高になる問題点があった。
【課題を解決するための手段】
【０００４】
本発明は上記のような従来の問題点を解消し得るセパレーター取付金具を提供することを目的とするものであって、その手段を後述する実施形態の参照符号を付して示すと、本体１の一端側にセパレーター連結部３が設けられると共に、当該本体１の他端側に取付部４が設けられたセパレーター取付金具であって、前記本体１は帯状鉄板２をＵ字形に折り曲げて構成され、この帯状鉄板２の折り返し部２ａに前記セパレーター連結部３が設けられ、当該帯状鉄板２の互いに隣接する両端部それぞれの両側辺には、係止片９ａ〜９ｄと当該係止片９ａ〜９ｄが係合する被係止部（被係止孔８ａ〜８ｄ）との組合せから成る係止手段１０が設けられると共に、この係止手段１０により両側辺どうしが互いに係止された前記帯状鉄板２の両端部によって筒状部（円筒状部５）が形成され、この筒状部（円筒状部５）の内周面にねじ溝１１を形成して構成された貫通ねじ孔１２または前記筒状部（円筒状部５）に内端部が内嵌固定された螺軸２７（またはボルト３０の螺軸部３０ａ）により前記取付部４が形成された構成となっている。
【０００５】
上記構成の本発明を実施するについて、具体的には請求項２に記載のように、前記係止手段１０は、帯状鉄板両端部の内、一方の端部の両側辺に形成された被係止孔８ａ〜８ｄと、他方の端部の両側辺から突設された係止片９ａ〜９ｄとから構成し、この係止片９ａ〜９ｄを前記被係止孔８ａ〜８ｄに斜め外向きに挿通させ、当該被係止孔８ａ〜８ｄから突出する前記係止片９ａ〜９ｄの先端部をそれぞれ外側に折曲させることにより、帯状鉄板両端部の両側辺どうしを互いに係止させることができる。
【発明の効果】
【０００６】
上記構成の本発明に係るセパレーター取付金具によれば、帯状鉄板を利用して軽量安価に本体を構成することができるのであるが、この場合に必要な帯状鉄板両端部の結合手段にリベットなどの別部品を使用することなく、当該帯状鉄板両端部に形成された係止片と被係合部との組合せから成る係止手段により帯状鉄板両端部を互いに結合して筒状部を形成することができるので、本体の大幅なコストダウンを図ることができる。
【０００７】
尚、本発明では、前記係止手段を構成する係止片は、相手側の帯状鉄板端部の側辺（被係合部）を外側から内向きに押さえ込むように折り曲げられるものであっても良いが、請求項２に記載の構成によれば、被係止孔に斜め外向きに挿通させた係止片の先端を外側へ折曲して係止することと、この係止片が帯状鉄板両端部の内の片側にのみ存在することとによって、係止操作が容易となり、しかも強固に結合させることができる。
【発明を実施するための最良の形態】
【０００８】
以下に本発明の具体的実施例を添付図に基づいて説明すると、図１において、１は帯状鉄板２をＵ字形に折り返して形成した本体であって、その一端の折り返し部２ａにセパレーター連結部３を備えると共に、他端に取付部４を備えている。図２〜図７に示すように、帯状鉄板２の互いに隣接する両端部には、その遊端から一定長さの領域において、互いに重なることにより円筒状部５を形成する断面円弧状部分６ａ，６ｂが設けられ、一方の断面円弧状部分６ａの両側辺からは左右両側に張り出す張出側辺部７ａ，７ｂが折曲連設されると共に、当該断面円弧状部分６ａと張出側辺部７ａ，７ｂとの間の角部には、本体長さ方向の２箇所に被係止孔８ａ〜８ｄが設けられている。他方の断面円弧状部分６ｂの両側辺からは、両断面円弧状部分６ａ，６ｂを互いに重ねたときに各被係止孔８ａ〜８ｄに挿通可能な係止片９ａ〜９ｄが斜め外向きに突設されている。
【０００９】
尚、帯状鉄板２はその全長にわたって同一幅のものが使用され、当該帯状鉄板２の一端部の左右両側辺のみを切り欠いて各係止片９ａ〜９ｄを形成しており、従って、両断面円弧状部分６ａ，６ｂを重ねて形成する円筒状部５は、帯状鉄板２の幅より直径が小さくなる。換言すれば、必要な直径の円筒状部５が形成できる幅の帯状鉄板２が使用されている。
【００１０】
而して、帯状鉄板２の両端の断面円弧状部分６ａ，６ｂを互いに重ね合わせて円筒状部５を形成させたとき、図７Ｂに示すように、一方の断面円弧状部分６ａ側の各被係止孔８ａ〜８ｄ内に他方の断面円弧状部分６ｂ側の各係止片９ａ〜９ｄが挿通されるので、各被係止孔８ａ〜８ｄから斜め外向きに突出する各係止片９ａ〜９ｄの先端部を、図６に示すように、一方の断面円弧状部分６ａ側の張出側辺部７ａ，７ｂの上に重ねるようにそれぞれ外側へ折曲加圧することにより、帯状鉄板２の両端部の両側辺が互いに係止され、両断面円弧状部分６ａ，６ｂによって円筒状部５が形成される。即ちこの実施形態では、張出側辺部７ａ，７ｂ、各被係止孔８ａ〜８ｄ、及び各係止片９ａ〜９ｄによって、帯状鉄板２の両端部の両側辺を互いに係止する係止手段１０が構成されているのである。
【００１１】
この実施形態での取付部４は、上記のようにして構成された円筒状部５の内周面にねじ溝１１を切削加工することにより円筒状部５の内側に本体長さ方向に形成された貫通ねじ孔１２から構成されている。尚、前記ねじ溝１１は、断面円弧状部分６ａ，６ｂなどを形成するための帯状鉄板２の両端部のプレス加工時に、断面円弧状部分６ａ，６ｂの内側面に鍛造加工しておくこともできる。
【００１２】
セパレーター連結部３の構成は特に限定されるものではないが、この実施形態におけるセパレーター連結部３は、図１Ａ，Ｂ及び図８に示すように、帯状鉄板２の折り返し部２ａの中央に設けた貫通孔１３とねじ孔１４ａとが一致するように帯状鉄板２の折り返し部２ａの内側に固定したナット１４と、前記貫通孔１３を形成するための切り起こし舌片で構成されたロック用操作片１５とから構成されている。ナット１４は、当該ナット１４の平行側面が帯状鉄板２で挟持されることにより回り止めされると共に、帯状鉄板２の折り返し部２ａに内側に突出するように形成した一対の突出部１６間で帯状鉄板２の幅方向に関して挟持され、更に帯状鉄板２の平行対面板部に内側に突出するように形成された一対の突出部１７と折り返し部２ａとの間で帯状鉄板２の長さ方向に関して挟持されている。このセパレーター連結部３の構成は、先に例示した非特許文献１に記載のものと同一である。
【００１３】
上記のように構成されたセパレーター取付金具１８の使用方法について説明すると、図９に示すように、土留め壁１９を構成する矢板支持に使用される柱用Ｈ形鋼２０や当該柱用Ｈ形鋼２０間に上下複数段に嵌合された鋼矢板２１のセパレーター取付箇所に、ボルト２２を溶接などにより取り付けておき、このボルト２２の螺軸部２２ａに上記構成のセパレーター取付金具１８の取付部４における貫通ねじ孔１２を螺合させて、セパレーター取付金具１８を柱用Ｈ形鋼２０や鋼矢板２１の表面にほぼ垂直向きに取り付ける。この後、セパレーター２３の一端螺軸部２３ａをセパレーター取付金具１８のセパレーター連結部３におけるナット１４のねじ孔１４ａに螺合させ、当該セパレーター２３の他端螺軸部２３ｂに嵌合させた型枠受け用コーン２４の型枠受け面と土留め壁１９との間の距離をセパレーター２３の正逆回転により調整した後、セパレーター連結部３におけるロック用操作片１５を打ち叩いてその係止爪部１５ａの先端を、図８に示すように、セパレーター２３の螺軸部２３ａに係合させ、当該セパレーター２３をセパレーター取付金具１８に固定する。この後は、従来周知のように、セパレーター２３の螺軸部２３ｂに螺嵌締結する型枠締結金具２５と前記型枠受け用コーン２４との間でコンクリート型枠板２６を挟持固定して、当該コンクリート型枠板２６と土留め壁１９との間にコンクリート打設空間を構成することができる。
【００１４】
尚、取付部４の構成は上記実施形態のもの限定されない。例えば、図１０Ａに示すように、円筒状部５内に内端部を内嵌固定した螺軸２７によって取付部４を構成することもできる。この場合、螺軸２７を帯状鉄板２の両端部に形成された断面円弧状部分６ａ，６ｂ間に挟ませた状態で、係止手段１０により両断面円弧状部分６ａ，６ｂの両側辺を係止させるときに、当該両断面円弧状部分６ａ，６ｂを互いに加圧して螺軸２７を、そのねじ溝を利用してかしめることができる。このように本体１の端部から突出する螺軸２７を備えた取付部４を設けるときは、図９に示すように土留め壁１９側に螺軸２２を固着突設する代わりに、図１０Ｂに示すように、前記螺軸２７を螺合させることができるナット２８を備えた取付座２９が柱用Ｈ形鋼２０や鋼矢板２１のセパレーター取付箇所に溶接などにより取り付けられる。
【００１５】
上記のように本体１の端部から突出する螺軸を備えた取付部４を設ける場合、図１１に示すようにボルト３０を円筒状部５内に固着し、このボルト３０の本体１の端部から突出する螺軸部３０ａを前記螺軸２７として使用することができる。この場合、ボルト３０の頭部３０ｂを円筒状部５の内側で帯状鉄板２の対面板部間に位置させ、当該頭部３０ｂの形状に合わせて帯状鉄板２の対面板部をプレス成形することにより、ボルト３０を回り止め状態に強固に固定することができるので、円筒状部５とボルト螺軸部３０ａとを強固に固着する必要がない。従って、当該円筒状部５を形成するための両断面円弧状部分６ａ，６ｂの両側辺間の係止手段１０は簡単なもので済み、例えば先に示した係止手段１０を利用する場合、両側辺それぞれに一組づつの被係止孔８ａ，８ｃと係止片９ａ，９ｃとを設ければ良い。
【図面の簡単な説明】
【００１６】
【図１】Ａ図は側面図、Ｂ図は平面図、Ｃ図は取付部の縦断側面図である。
【図２】取付部の拡大平面図である。
【図３】図２の側面図である。
【図４】図２の底面図である。
【図５】図２の正面図である。
【図６】図２の縦断正面図である。
【図７】Ａ図は互いに係止する前の係止手段を示す縦断正面図、Ｂ図は係止片を折曲させる前の状態を示す縦断正面図である。
【図８】セパレーター連結部の一例を示すセパレーター連結状態の縦断側面図である。
【図９】セパレーター取付金具の使用状態を示す一部縦断側面図である。
【図１０】Ａ図は第二実施形態に係るセパレーター取付金具を示す平面図、Ｂ図は同セパレーター取付金具の使用状態を示す一部縦断側面図である。
【図１１】第三実施形態に係るセパレーター取付金具を示す平面図である。
【符号の説明】
【００１７】
１    本体
２    帯状鉄板
３    セパレーター連結部
４    取付部
５    円筒状部
６ａ，６ｂ    断面円弧状部分
７ａ，７ｂ    張出側辺部
８ａ〜８ｄ    被係止孔（被係止部）
９ａ〜９ｄ    係止片
１０    係止手段
１１    ねじ溝
１２    貫通ねじ孔
１８    セパレーター取付金具
１９    土留め壁
２０    柱用Ｈ形鋼
２１    鋼矢板
２２    ボルト
２３    セパレーター
２７，３０ａ    螺軸
２８    ナット
２９    取付座
３０    ボルト
【図１】
2006016775.tif 000003
【図２】
2006016775.tif 000004
【図３】
2006016775.tif 000005
【図４】
2006016775.tif 000006
【図５】
2006016775.tif 000007
【図６】
2006016775.tif 000008
【図７】
2006016775.tif 000009
【図８】
2006016775.tif 000010
【図９】
2006016775.tif 000011
【図１０】
2006016775.tif 000012
【図１１】
2006016775.tif 000013